(57)【要約】      （修正有）【課題】レンズ鏡胴に設置される駆動ユニットの筐体へのモータの設置機構において、モータを保持するモータ保持部材のネジ固定部と、そのネジ固定部をネジ止めする筐体のボスとの間にワッシャーを挟み込むことによってモータの固定位置を調整する時、筐体へのモータの設置作業を容易にする。【解決手段】駆動ユニットの筐体内にモータを固定するための円柱状のボス７０、７４・・・突設されている。そのボスにモータを保持したモータ保持部材８０のネジ固定部８４、８８・・・をネジ止めする際にボス７０の先端部７０Ａにワッシャー１００を挟み込むことによってモータの固定位置が調整される。そのワッシャー１００の周縁部には直角に折れ曲がる４本の脚部が形成されており、ボス７０にワッシャー１００を載置した際にそれらの脚部がボス７０の周面に周りに配置され、ワッシャー１００がボス７０から落下等しないように脚部によって係止される。【選択図】図５
2011107205.tif 000002
【特許請求の範囲】
【請求項１】
被写体像を結像する光学系の構成部材を有するレンズ鏡胴とレンズ鏡胴に設置される駆動ユニットとを備え、
前記レンズ鏡胴は、前記レンズ鏡胴の各種構成部材を支持する鏡胴本体と、前記鏡胴本体の外周部に回動可能に支持された操作リングを備え、
前記駆動ユニットは、前記駆動ユニットの各種構成部材を支持する筐体と、前記筐体内に支持されたモータと、前記モータを前記操作リングに連結するギアと、を備えたレンズ装置において、
前記駆動ユニットは、前記筐体内に円柱状に突設され、先端面にネジが締め込まれるネジ穴を備えた支持部と、
前記モータを保持するモータ保持部材であって、前記ネジを挿通するネジ挿通孔を備え、該ネジ挿通孔から周縁部まで連接される切欠部を有する板状のネジ固定部を備えたモータ保持部材と、を有し、前記支持部の先端面と前記モータ保持部材のネジ固定部との間に前記ネジを挿通した状態でワッシャーを挟み込んで前記ネジ固定部を前記支持部にネジ止めするモータ設置構造を備え、
前記ワッシャーは、前記ネジを挿通するネジ挿通孔を有する円板状に形成された本体部と、該本体部の周縁部から所定角度間隔で延設されると共に、前記本体部の板面に対して略直交する方向に折り曲げられ、前記支持部の先端面に前記本体部が載置された際に、前記支持部の周面の周りに配置され、前記支持部の板面に沿った方向に前記本体部を係止する板状の複数の脚部とを有し、
前記本体部の周縁部から延設される前記複数の脚部の前記所定角度間隔と幅とが、前記支持部の先端面と前記モータ保持部材のネジ固定部との間に前記ワッシャーを挟み込んで前記ネジ固定部を前記支持部にネジ止めした場合に、少なくとも一つの脚部が前記ネジ固定部の切欠部から視認可能となる条件を満たすように前記複数の脚部が形成されていることを特徴とするレンズ装置。
【請求項２】
前記ワッシャーは、前記本体部の周縁部から延設される前記複数の脚部の前記所定角度間隔と幅とが、少なくとも２枚以上のワッシャーを前記脚部の位置をずらした状態で重ね合わせて前記支持部の先端面と前記モータ保持部材のネジ固定部との間に挟み込むことができる条件を満たすように形成されたことを特徴とする請求項１のレンズ装置。
【請求項３】
前記モータ保持部材のネジ固定部における切欠部に、前記ネジを挿通するネジ挿通孔を有するスペーサが装着されたことを特徴とする請求項１、又は、２のレンズ装置。
【発明の詳細な説明】
【技術分野】
【０００１】
本発明はレンズ装置に係り、特にレンズ鏡胴の側部に駆動ユニットが設置されるレンズ装置に関する。
【背景技術】
【０００２】
放送用又は業務用等のテレビカメラは、撮像素子や映像処理回路等を搭載したカメラ本体と、撮像素子の撮像面に被写体像を結像する光学系を備えたレンズ装置とを備えている。取材等で使用される携帯用のテレビカメラのレンズ装置は、一般に、レンズ鏡胴と、レンズ鏡胴の側部に設置される駆動ユニット（ドライブユニット）とを有している。
【０００３】
レンズ鏡胴は、光学系を構成する各種レンズ等を内部に保持しており、その後端部には、カメラ本体に対して例えばバヨネット方式により着脱可能に装着されるマウントが設けられ、レンズ鏡胴の外周部（レンズ鏡胴の各種構成部材を支持する鏡胴本体の外周部）には、内部に保持したフォーカス用のレンズ（フォーカスレンズ群）、ズーム用のレンズ（変倍レンズ群）、絞り等にメカ的に連結されてそれらを駆動するための操作リングが回動可能に設けられている。尚、本明細書では、フォーカスレンズ群、変倍レンズ群、絞りの各々を駆動するための操作リングをフォーカスリング、ズームリング、アイリスリングというものとする。
【０００４】
レンズ鏡胴の側部に設置される駆動ユニットは、操作リングを電動で回動させるためのモータや操作リングの位置を検出するポテンショメータ等を筐体内部に備え、モータとポテンショメータを操作リングに連結するギアや、モータ制御等を行う回路部品を備えている。また、筐体外面に、撮影者がテレビカメラを保持する際に手で把持するグリップ部や、各種操作部材を備えている。駆動ユニットのモータは、筐体外面に設けられた操作部材の操作や、外部から入力される信号に従って駆動制御され、モータの駆動と共にそのモータに連結された操作リングが回動するようになっている（例えば、特許文献１参照）。
【０００５】
従来、駆動ユニットに筐体内部にモータを固定するために、例えば、筐体内部に円柱状のボスが複数立設され、その先端部にネジ穴が形成される。一方、モータには、モータ保持部材が装着され、そのモータ保持部材には、ボスの位置に対応してネジ挿通孔を有するネジ固定部が設けられている。そして、ネジ固定部のネジ挿通孔にネジが挿通されてボスのネジ穴に締め込まれることによって、ネジ固定部がボスにネジ止めされ、モータ保持部材を介してモータが筐体内部の所定位置に固定されるようになっている。
【０００６】
また、ネジ固定部をボスにネジ止めする際に、モータ保持部材のネジ固定部とボスとの間に平坦な一般的なワッシャー（平ワッシャー）が挟み込まれ、そのワッシャーの枚数によって筐体内部におけるモータの固定位置の調整が行われている。筐体内部におけるモータの固定位置は、モータと操作リングとの間を連結するギア間での噛み合い具合（バックラッシュ）に影響し、モータの固定位置が適切でないと、ギアの破損、音の発生、モータへの過大な負荷等の不具合を招く。そのため、各部品の製造誤差等を考慮してモータの固定位置の調整は個体ごとに行われている。
【先行技術文献】
【特許文献】
【０００７】
【特許文献１】特許第２７７３２３０号公報
【発明の概要】
【発明が解決しようとする課題】
【０００８】
しかしながら、上記のように一般的な平ワッシャーをボスとモータ保持部材との間に挟み込んでモータの固定位置を調整する方法は、組立作業に手間と時間を要するという問題があった。即ち、モータを駆動ユニットの筐体に固定する際には、まず、ボスの先端部のネジ穴と平ワッシャーのネジ挿通孔とを合わせた状態で、ボスの先端部に平ワッシャーをおく。そして、その状態を保ちながら、モータ保持部材のネジ固定部のネジ挿通孔をボスのネジ穴に合わせ、ネジ固定部及び平ワッシャーのネジ挿通孔にネジを挿通させてボスのネジ穴にそのネジを締め込む。このような組立作業において、ボスの先端部に平ワッシャーをおいた後、モータ保持部材のネジ固定部をネジ止めするまでに、平ワッシャーの位置がずれたり、ボスの先端部から落ちたりしないように駆動ユニットの筐体を一定の姿勢で固持するように留意しければならない。また、駆動ユニットの筐体内は、空いたスペースが少なく、ボスの先端部の適切な位置に平ワッシャーを置く作業にも手間を要する。特に、平ワッシャーを複数枚重ねる場合には作業がより困難になる。
【０００９】
また、平ワッシャーを複数枚重ねた場合に、正面からではその枚数が把握できないと共に、ボスの周辺は筐体等で囲まれている関係上、一旦、ボスにモータ保持部材をネジ止めしてしまうと、ボスとモータ保持部材との間の平ワッシャーを視認することができず、平ワッシャーが挟み込まれているのか否かや何枚挟み込まれているかを確認することができない。
【００１０】
モータの位置が適切でなかった場合など、ボスとモータ保持部材との間に挟み込まれている平ワッシャーの枚数（使用枚数）は、平ワッシャーの追加又は削減が可能か否かや、他の部分の設置状態の見直し等を検討する情報となるため使用枚数を確認できるようにすることが望ましい。
【００１１】
本発明はこのような事情に鑑みてなされたもので、レンズ鏡胴に設置される駆動ユニットの筐体へのモータの設置作業や、モータの固定位置の調整作業を容易にするレンズ装置を提供することを目的とする。
【課題を解決するための手段】
【００１２】
前記目的を達成するために、請求項１に係るレンズ装置は、被写体像を結像する光学系の構成部材を有するレンズ鏡胴とレンズ鏡胴に設置される駆動ユニットとを備え、前記レンズ鏡胴は、前記レンズ鏡胴の各種構成部材を支持する鏡胴本体と、前記鏡胴本体の外周部に回動可能に支持された操作リングを備え、前記駆動ユニットは、前記駆動ユニットの各種構成部材を支持する筐体と、前記筐体内に支持されたモータと、前記モータを前記操作リングに連結するギアと、を備えたレンズ装置において、前記駆動ユニットは、前記筐体内に円柱状に突設され、先端面にネジが締め込まれるネジ穴を備えた支持部と、前記モータを保持するモータ保持部材であって、前記ネジを挿通するネジ挿通孔を備え、該ネジ挿通孔から周縁部まで連接される切欠部を有する板状のネジ固定部を備えたモータ保持部材と、を有し、前記支持部の先端面と前記モータ保持部材のネジ固定部との間に前記ネジを挿通した状態でワッシャーを挟み込んで前記ネジ固定部を前記支持部にネジ止めするモータ設置構造を備え、前記ワッシャーは、前記ネジを挿通するネジ挿通孔を有する円板状に形成された本体部と、該本体部の周縁部から所定角度間隔で延設されると共に、前記本体部の板面に対して略直交する方向に折り曲げられ、前記支持部の先端面に前記本体部が載置された際に、前記支持部の周面の周りに配置され、前記支持部の板面に沿った方向に前記本体部を係止する板状の複数の脚部とを有し、前記本体部の周縁部から延設される前記複数の脚部の前記所定角度間隔と幅とが、前記支持部の先端面と前記モータ保持部材のネジ固定部との間に前記ワッシャーを挟み込んで前記ネジ固定部を前記支持部にネジ止めした場合に、少なくとも一つの脚部が前記ネジ固定部の切欠部から視認可能となる条件を満たすように前記複数の脚部が形成されていることを特徴としている。
【００１３】
本発明によれば、レンズ鏡胴の筐体に突設された円柱状の支持部にモータを保持するモータ保持部材のネジ固定部をネジ止めするモータ設置構造において、支持部の周面に配置される脚部を有するワッシャーを支持部とネジ固定部との間に挟み込んでモータの固定位置を調整できるようにしたため、そのネジ止めの作業の際に、ワッシャーを支持部に載置した後、ワッシャーが支持部から落ちるなどの不具合が軽減され、モータの設置作業が容易となる。また、ネジ固定部と支持部の間に挟み込んだワッシャーの有無や、枚数を、ネジ固定部を支持部に固定した状態で確認することができ、モータの固定位置の調整を行う際に有益な情報を得ることができる。
【００１４】
請求項２に係るレンズ装置は、請求項１に係る発明において、前記ワッシャーは、前記本体部の周縁部から延設される前記複数の脚部の前記所定角度間隔と幅とが、少なくとも２枚以上のワッシャーを前記脚部の位置をずらした状態で重ね合わせて前記支持部の先端面と前記モータ保持部材のネジ固定部との間に挟み込むことができる条件を満たすように形成されたことを特徴としている。
【００１５】
本発明は、ワッシャーを２枚以上重ねてモータ保持部材のネジ固定部と支持部との間に挟み込むことができる態様に限定したものである。
【００１６】
請求項３に係るレンズ装置は、請求項１、又は、２に係る発明において、前記モータ保持部材のネジ固定部における切欠部に、前記ネジを挿通するネジ挿通孔を有するスペーサが装着されたことを特徴としている。
【００１７】
本発明は、モータ保持部材のネジ固定部にスペーサを装着する態様であって、このスペーサによってモータの振動を吸収することができると共に、スペーサの厚み等によってワッシャーの使用枚数の選択と共に、モータの固定位置を調整することも可能となる。
【発明の効果】
【００１８】
本発明によれば、レンズ鏡胴に設置される駆動ユニットの筐体へのモータの設置作業や、モータの固定位置の調整作業を容易にすることができる。
【図面の簡単な説明】
【００１９】
【図１】本発明が適用されたレンズ装置の全体を示した斜視図。
【図２】駆動ユニットの筐体の第１枠から第２枠を取り外した状態の第１枠の内部側の一部を示した拡大図。
【図３】筐体内（第１枠内）のボスにズーム用のモータを固定した状態を示す平面図。
【図４】図３におけるＡ方向からモータ保持部材８０を示した斜視図。
【図５】図３におけるＢ方向からモータ保持部材８０を示した矢視図。
【図６】モータ保持部材のネジ固定部に異なる枚数のワッシャーを使用した状態を示した正面図。
【発明を実施するための形態】
【００２０】
以下、添付図面を参照して、本発明に係るレンズ装置を実施するための形態について詳細に説明する。
【００２１】
図１は、本発明が適用されたレンズ装置の全体を示した斜視図である。同図のレンズ装置１０は、主に取材などで携帯される放送用又は業務用のテレビカメラ（ビデオカメラ）のレンズ装置であり、レンズ鏡胴１２と、レンズ鏡胴１２の側部に設置された駆動ユニット１４を備えている。
【００２２】
レンズ鏡胴１２は、後端部にバヨネット方式のマウント部２０を有しており、このマウント部２０を撮像素子等を備えたカメラ本体（図示せず）のマウント部に係合させることにより、レンズ鏡胴１２がカメラ本体に装着されてテレビカメラが構成されるようになっている。
【００２３】
レンズ鏡胴１２の内部には、周知のように被写体像を結像するための光学系を構成するレンズや絞りが収容されており、レンズとして、レンズ鏡胴１２の各種構成部材を支持する鏡胴本体に対して固定されたレンズの他に、光軸方向に移動可能に支持されたフォーカスレンズ群や変倍レンズ群が配置されている。
【００２４】
レンズ鏡胴１２の外周部には、鏡胴本体（固定鏡胴）に対して回動可能な複数の操作リングが設けられており、その操作リングとして前方側（対物側）からフォーカスレンズ群に連結されたフォーカスリング２２、変倍レンズ群に連結されたズームリング２４、絞りに連結されたアイリスリング２６が配置されている。フォーカスリング２２が回動すると、これと連動してフォーカスレンズ群が光軸方向に移動して光学系全体としての焦点位置（ピントが合う被写体距離）が変化し、ズームリング２４が回動すると、これと連動してズームレンズ群が光軸方向に移動して光学系全体としての焦点距離が変化し、アイリスリングが回動すると、これと連動して絞りが開閉動作して光学系全体としての絞り値が変化するようになっている。フォーカスリング２２、ズームリング２４、アイリスリング２６の各々の外周面には、駆動ユニット１４のギアと噛合するギア歯２２Ａ、２４Ａ、２６Ａが形成されている。
【００２５】
また、レンズ鏡胴１２の外周部には、鏡胴本体に対して固定された第１固定環２８及び第２固定環３０が設けられている。第１固定環２８は、フォーカスリング２２とズームリング２４との間に配置され、第２固定環３０は、ズームリング２４とアイリスリング２６との間に配置されている。これらの固定環２８、３０には、駆動ユニット１４の筐体４０がネジ５４、５４により固定される。
【００２６】
駆動ユニット１４は、レンズ鏡胴１２の各操作リングを電動で駆動するためのモータ等を搭載し、レンズ鏡胴１２の光学系を電気的に制御するもので、レンズ鏡胴１２の側部に装着される金属の筐体４０によって全体が覆われている。筐体４０は、別体の第１枠４２と第２枠４４とで構成されており、第１枠４２の周縁部と第２枠の周縁部が当接した状態で第１枠４２と第２枠４４とがネジ５５、５５等で固定されることによって筐体４０が構成されている。
【００２７】
筐体４０の内部には、モータ、ポテンショメータ、ギアなどの動力の伝達に関連する機構部材が収容されており、それらは主として第１枠４２に設置されている。
【００２８】
第１枠４２には、レンズ鏡胴１２のフォーカスリング２２、ズームリング２４、アイリスリング２６の各々のギア歯２２Ａ、２４Ａ、２６Ａに対向する位置に開口が設けられ、その開口から、それらのギア歯２２Ａ、２４Ａ、２６Ａに噛合するギアが設けられている。そして、それらのギアを介して筐体４０内部のモータ又はポテンショメータと、筐体４０外部のフォーカスリング２２、ズームリング２４、アイリスリング２６が動力伝達可能に連結されている。これにより、フォーカスリング２２、ズームリング２４、アイリスリング２６が駆動ユニット１４のモータによって電動で回転駆動され、また、フォーカスリング２２、ズームリング２４、アイリスリング２６の回転位置に応じたフォーカスレンズ群、ズームレンズ群、絞りの設定位置が駆動ユニット１４のポテンショメータによって検出されるようになっている。尚、駆動ユニット１４のモータは、筐体に設けられた操作部材の操作や、外部から与えられる指示信号にしたがって駆動制御される。
【００２９】
第２枠４４には、図１では、隠れた面側（第１枠４２が固定される側と反対の外側の面）に撮影者が駆動ユニット１４を把持するグリップ部５６が形成されると共に、上面等に各種操作部材が設けられている。操作部材として、ズーム操作を行うためのズームシーソースイッチ５８や、絞り制御をマニュアルとオートとで切り替えるための切替スイッチ６０が設けられている。
【００３０】
図２は、駆動ユニット１４の筐体４０の第１枠４２から第２枠４４を取り外した状態の第１枠４２の内部側の一部を示した拡大図である。同図には、レンズ鏡胴１２のズームリング２４に連結されるズーム用のモータを第１枠４２に固定するための構成部が拡大されて示されており、そのズーム用のモータを固定するために第１枠４２の内壁面に円柱状の３つのボス７０、７２、７４が突設されている。そして、各ボス７０、７２、７４の先端部７０Ａ、７２Ａ、７４Ａには、ネジ穴７０Ｂ、７２Ｂ、７４Ｂが形成されている。
【００３１】
図３は、ボス７０、７２、７４にズーム用のモータを固定した状態を示す平面図（上面図）である。尚、同図において紙面に垂直手前側を上側とする。ただし、駆動ユニット１４の筐体４０はレンズ鏡胴１２の側部に装着されるため、図３はレンズ鏡胴１２の側面から示した図に相当する。同図に示すようにモータは、モータ保持部材８０の円筒状の筒部８２の内部に収容保持され、そのモータ保持部材８０に紙面水平方向に突設された板状のネジ固定部８４、８６、８８が図２に示したボス７０、７２、７４のネジ穴７０Ｂ、７２Ｂ、７４Ｂに締め込まれたネジ１２０、１２２、１２４によりネジ止めされて固定されるようになっている。
【００３２】
図４は、図３においてモータ保持部材８０の上側からＡ方向にモータ保持部材８０のネジ固定部８４を観たときの斜視図である。同図に示すようにネジ固定部８４は、板状の突片にＵ字状の切欠部８４Ｂが形成され、二股状の係合片８４Ａを有した構造となっている。このネジ固定部８４の切欠部８４Ｂには、モータの振動を吸収するためのゴム性のスペーサ１１０が嵌合される。
【００３３】
スペーサ１１０には、ネジ１２０の軸部１２０Ａを挿通すると共に、ネジ１２０の基端の円筒部１２０Ｂ（ネジが形成されたネジ部１２０Ｃに対してネジが形成されていない拡径部分）と嵌合するネジ挿通孔１１０Ａが中心軸に沿って形成されている。また、周面に凹状の周溝１１０Ｂが形成され、軸方向の両端にフランジ部１１０Ｃ、１１０Ｄが形成された構造を有している。そのスペーサ１１０のネジ挿通孔１１０Ａにネジ１２０の軸部１２０Ａが挿入され、スペーサ１１０の上端面がネジ１２０の頭部１２０Ｄに当接する円筒部１２０Ｂの位置までスペーサ１１０が嵌め込まれる。そして、スペーサ１１０の周溝１１０Ｂが、ネジ固定部８４の切欠部８４に嵌め込まれ、スペーサ１１０の周溝１１０Ｂの底面部（軸に平行な円柱面）がネジ固定部８４の二股状の係合片８４Ａによって挟持されると共に、スペーサ１１０の上下端部のフランジ部１１０Ｃ、１１０Ｄが係合片８４Ａを挟持した状態でスペーサ１１０がネジ固定部８４に装着されるようになっている。
【００３４】
図３に示したモータ保持部材８０の他のネジ固定部８６、８８もネジ固定部８４と同様の構成を有すると共に、スペーサ１１０と同様の構成のスペーサがそれらの切欠部に装着され、スペーサのネジ挿通孔にネジ１２２、１２４の軸部が嵌合される。そして、モータ保持部材８０の各ネジ固定部８４、８６、８８に装着されたスペーサのネジ挿通孔に嵌合されたネジ１２０、１２２、１２４の各々がボス７０、７２、７４のネジ穴７０Ｂ、７２Ｂ、７４Ｂに締め込まれることによって、図３のようにモータ保持部材８０がボス７０、７２、７４にネジ止めされ、モータが筐体４０（第１枠４２）に固定される
また、ネジ固定部８４がネジ止めされるボス７０の上端部７０Ａには、図２のようにモータ保持部材８０に保持されたモータの固定位置を調整するためのワッシャー１００が載置され、図３のＢ方向からモータ保持部材８０を示した図５に示すように、ネジ固定部８４のスペーサ１１０の下面側とボス７０の先端部７０Ａとの間にそのワッシャー１００が挟み込まれた状態でネジ固定部８４がスペーサ１１０を介してネジ１２０によりボス７０にネジ止めされる。尚、図５に示すように、モータ保持部材８０のネジ固定部８８には、図４に示したスペーサ１１０と同じスペーサ１１４が装着され、そのスペーサ１１４の下面がボス７４の先端部７４Ａに直接当接した状態で、ネジ固定部８８がスペーサ１１４を介してネジ１２４によりボス７４にネジ止めされる。また、この図５に示すようにネジ固定部８４に装着されたスペーサ１１４は、図４に示したスペーサ１１０と同じものであるが、ネジ固定部８４に装着されたスペーサ１１０は、図４に示したスペーサ１１０（即ち、他のネジ固定部８６、８８に装着されるスペーサ）よりも下側のフランジ部１１０Ｄが薄くなっている。これについては後述する。
【００３５】
図２、図４、図５に示したネジ固定部８４のスペーサ１１０とボス７０との間に挟み込まれるワッシャー１００は、通常の平ワッシャーと同じ構造の本体部１０２と、本体部１０２と一体形成された４つの脚部１０４、１０４、１０４、１０４とを有している。本体部１０２は、中央にネジ挿通孔１０２Ａを有する平坦な円板状に形成され、ボス７０の上端部７０Ａの上面と略一致した外径（又は、それより僅かに小さな外形）の大きさに形成されている。一方、脚部１０４、１０４、１０４、１０４は、本体部１０２の周縁部から細板状に延設されると共に、本体部１０２の平坦な面に対して直交する方向に折り曲げられて形成されており、少なくとも内側の面が、本体部１０２の外周よりも外側に突出した位置となるよう形成されている。
【００３６】
このワッシャー１００は、ボス７０の上端部７０Ａに載置されると、脚部１０４、１０４、１０４、１０４がボス７０の周面部に配置され、ボス７０の上端部７０Ａの面に沿った方向に対して本体部１０２が係止され、本体部１０２のネジ挿通孔１０２Ａがボス７０の上端部７０Ａのネジ穴７０Ｂの位置（少なくとものネジ穴７０Ｂ全体を臨める位置）に配置される。
【００３７】
このようにワッシャー１００がボス７０の上端部７０Ａに載置された状態で、図４、図５に示したようにモータ保持部材８０のネジ固定部８４に装着されたスペーサ１１０のネジ１２０がワッシャー１００のネジ挿通孔１０２Ａを挿通してボス７０のネジ穴７０Ｂに締め込まれる。このとき、ボス７０が鉛直方向に対して斜めに傾斜した場合（ボス７０の先端部７０Ａの面が水平方向に対して斜めに傾斜した場合）であってもワッシャー１００は脚部１０４、１０４、１０４、１０４によってボス７０に係止され、ワッシャー１００のネジ挿通孔１０２Ａがボス７０のネジ穴７０Ｂの位置からずれないため、容易にネジ１２０をワッシャー１００のネジ挿通孔１０２Ａに挿通させてボス７０のネジ穴７０Ｂに締め込むことができる。また、ワッシャー１００のネジ挿通孔１０２Ａがボス７０のネジ穴７０Ｂの位置に一致するようにワッシャー１００をボス７０の先端部７０Ａに載置することも脚部１０４、１０４、１０４、１０４によって位置決めされるため容易である。そして、図５に示したようにスペーサ１１０の下面とボス７０の上端部７０Ａとの間にワッシャー１００を挟み込むことによって、モータ保持部材８０に保持されたモータの固定位置をワッシャー１００の本体部１０２の厚みに応じた位置に調整、変更することができる。
【００３８】
尚、本実施の形態におけるモータ保持部材８０は、レンズ鏡胴１２のズームリング２４に形成されたギア歯２４Ａとモータの回転軸に取り付けられたギアとを連結するギアも支持しており、モータ保持部材８０をボス７０、７２、７４にネジ止めによって固定した場合に、モータ保持部材８０に支持されてモータのギアに連結されたギアが図２に示されている筐体４０の開口１５０を介してズームリング２４のギア歯２４Ａに噛合されるようになっている。従って、モータの固定位置の調整は、ズームリング２４のギア歯２４Ａとこれに噛合するギアとの噛み合い具合の調整に相当し、モータの回転軸のギアとモータ保持部材８０に支持されたギアの噛み合い具合はモータをモータ保持部材８０に装着すれば適切な状態に設定されるものとする。ただし、ズームリング２４のギア歯２４Ａと、モータの回転軸のギアとの間を連結するギアの全て又は一部が、モータ保持部材８０に支持されているのではなく、筐体４０に支持にされている場合であっても本発明は適用でき、その筐体４０に支持されたギアと、そのギアに噛合するモータ保持部材に支持されたギアとの間の噛み合い具合をワッシャー１００によるモータの固定位置の調整によって最適な状態に調整することができる。
【００３９】
ここで、上記ワッシャー１００は、脚部１０４の位置をずらすことによって複数枚を重ねることができるようになっており、ボス７０の先端部７０Ａに載置するワッシャー１００の枚数を調整することによって、モータ保持部材８０のネジ固定部８４の固定位置の高さを調整することができる。これによって、モータとレンズ鏡胴１２のズームリング２４の間を連結するギアの噛み合い具合が適切となるようにモータの固定位置を調整、変更することができるようになっている。
【００４０】
また、本実施の形態のワッシャー１００の脚部１０４は、本体部１０２の中心を基準として外周方向に９０度間隔で設けられ、その幅が約３０度の範囲内となるように形成され、同一形状のワッシャー１００を複数枚重ねる場合には、脚部１０４の位置が重ならないようにする必要があるため、最大３枚まで重ねてボス７０の先端部７０Ａに載置することができるようになっている。そして、重ねたワッシャー１００の枚数は、ボス７０にネジ固定部８４をネジ止めした後でも、図６のように上側から視認することができるようになっている。即ち、図６（Ａ）、（Ｂ）、（Ｃ）は各々、ボス７０の先端部７０Ａにワッシャー１００を０枚、１枚、２枚載置してネジ固定部８４をネジ止めした状態を示しており、同図（Ａ）のようにネジ固定部８４の切欠部８４からワッシャー１００の脚部１０４が全く見えない場合にはワッシャー１００が１枚もボス７０の先端部７０Ａに載置されておらず、同図（Ｂ）のように脚部１０４が１つ見える場合には１枚のワッシャー１００がボス７０の先端部７０Ａに載置され、同図（Ｃ）のように脚部１０４が２つ見える場合には、２枚のワッシャー１００が先端部７０Ａに載置されていると判断することができる。
【００４１】
このようにネジ固定部８４の切欠部８４Ｂかから視認できる脚部１０４の数によって、ボス７０の先端部７０Ａに載置されているワッシャー１００の枚数を判断できるようにするためには、ネジ固定部８４をボス７０にネジ止めした際に、ワッシャー１００の脚部１０４が配置される円周上において、ワッシャー１００の中心（ネジ１２０の中心）からみてネジ固定部８４の切欠部８４Ｂの幅の角度範囲をθ０度、ワッシャー１００に形成される複数の脚部１０４の角度間隔をθ１度、１つの脚部１０４の幅をθ２度とすると、θ１−θ２＜θ０の条件を満たすようにすればよい。また、このときワッシャー１００を重ねることができる最大枚数ＬはＬ′＝θ１／θ２により求められる値Ｌ′の整数桁の数Ｌとなる。ワッシャー１００を少なくとも２枚以上重ね合わせられるようにするためには複数の脚部１０４を形成する角度間隔θ１とそれらの幅θ２を、上記により得られる値Ｌ′（及びＬ）が２以上となる条件を満たすように形成すればよい。
【００４２】
例えば、本実施の形態では、θ０が約６０度、θ１が９０度（脚部１０４を４カ所に均等に形成する場合）、θ２が約３０度となっており、上記条件式を満たすように脚部１０４が形成されている。また、このとき、ワッシャー１００を重ねることができる最大枚数Ｌは、Ｌ′＝９０／３０＝３であり、ワッシャー１００の製造誤差にもよるが、少なくとも２枚（理論上は３枚）は重ねることができるようになっている。
【００４３】
以上、上記実施の形態では、モータ保持部材８０のネジ固定部８４、８６、８８の切欠部にスペーサを装着したが、必ずしもスペーサを装着する必要はなく、スペーサを装着しない場合であっても本発明は適用できる。
【００４４】
また、上記実施の形態ではモータ保持部材８０のネジ固定部８４にのみワッシャー１００を使用した場合を示したが、これと同様に他のネジ固定部８６、８８に関しても上記ワッシャー１００と同じものを使用してモータの固定位置の高さ調整を行うようにしてもよい。
【００４５】
また、上記実施の形態では、ズーム用のモータを筐体４０内に設置する設置機構について説明したが、これと同様に、フォーカス用、ズーム用のモータ、又は、ポテンショメータ等の部品を筐体４０内のボスにネジ止めで固定する場合に、その固定位置を調整する必要がある場合には、上記実施の形態で示した設置機構と同様の構成を適用することができる。
【符号の説明】
【００４６】
１０…レンズ装置、１２…レンズ鏡胴、１４…駆動ユニット、２０…マウント部、２２…フォーカスリング、２４…ズームリング、２６…アイリスリング、２２Ａ、２４Ａ、２６Ａ…ギア歯、２８…第１固定環、３０…第２固定環、４０…筐体、４２…第１枠、４４…第２枠、５４、５５…ネジ、７０、７２、７４…ボス、７０Ａ、７２Ａ、７４Ａ…先端部、７０Ｂ、７２Ｂ、７４Ｂ…ネジ穴、８０…モータ保持部材、８２…筒部、８４、８６、８８…ネジ固定部、８４Ａ…係合片、８４Ｂ…切欠部、１００…ワッシャー、１０２…本体部、１０２Ａ…ネジ挿通孔、１０４…脚部、１１０、１１４…スペーサ、１１０Ａ…ネジ挿通孔、１１０Ｂ…周溝、１１０Ｃ、１１０Ｄ…フランジ部、１２０、１２２、１２４…ネジ、１２０Ａ…軸部、１２０Ｂ…円筒部、１２０Ｃ…ネジ部、１２０Ｄ…頭部
【図１】
2011107205.tif 000003
【図２】
2011107205.tif 000004
【図３】
2011107205.tif 000005
【図４】
2011107205.tif 000006
【図５】
2011107205.tif 000007
【図６】
2011107205.tif 000008